(57)【要約】【課題】他部品との干渉による問題、並びに製造作業やリサイクル作業の煩雑化を招来することなく断熱性能を十分に、かつ確実に確保すること。【解決手段】商品を収容する収容域の内壁面に断熱シート７０を配設するようにした自動販売機において、収容域の内壁面を構成する壁部材１２ｂ，１２ｄ，１６ｂ，１７ｂに切欠８１を設けることにより該壁部材１２ｂ，１２ｄ，１６ｂ，１７ｂにその延在方向に沿った舌片８０を構成するとともに、断熱シート７０に挿通孔７１を形成し、該挿通孔７１に舌片８０を挿通させることによって断熱シート７０を収容域の内壁面に保持させるようにしている。【選択図】　　　図１
2004013539.tif 000002
【特許請求の範囲】
【請求項１】
商品を収容する収容域の内壁面に断熱シートを配設するようにした自動販売機において、
収容域の内壁面を構成する壁部材に切欠を設けることにより該壁部材にその延在方向に沿った舌片を構成するとともに、断熱シートに係止部を形成し、該係止部に前記舌片を係止させることによって前記断熱シートを前記収容域の内壁面に保持させたことを特徴とする自動販売機。
【請求項２】
前記係止部は、断熱シートに形成した挿通孔であり、この挿通孔に前記舌片を挿通させることにより、前記断熱シートを前記収容域の内壁面に保持させたことを特徴とする請求項１に記載の自動販売機。
【発明の詳細な説明】
【０００１】
【発明の属する技術分野】
本発明は、商品を収容する収容域の内壁面に断熱シートを配設するようにした自動販売機の改良に関するものである。
【０００２】
【従来の技術】
本件特許出願人は、特開２００２−４２２２５号公報において、商品を収容する収容域の内壁面に断熱シートを配設するようにした自動販売機を既に提供している。すなわち、この自動販売機では、図９に示すように、収容庫１の内壁面や収容庫１を複数の室に仕切る中仕切壁２の内壁面、さらには収容庫１の前面開口を覆う内扉（図示せず）の内壁面に、それぞれポリエステルフィルム等の断熱性を有した材質から成る断熱シート３を配設するようにしている。
【０００３】
この自動販売機によれば、冷却された空気、もしくは加熱された空気が商品の収容域において断熱シート３の表面に沿って流れるようになり、収容域の内壁面に直接接触して流れることがない。従って、収容域を取り囲む断熱層を薄く構成した場合であっても、当該収容域の熱損失を低減することができるようになる。この結果、商品の収納数を減少することなく設置スペースの縮小化を図ることが可能になるとともに、自動販売機の省エネルギ化を図ることができるという作用効果を奏する。しかも、自動販売機の構造に大幅な変更を加えることもないため、製造コストが増大する事態を招来する虞れもない。
【０００４】
【発明が解決しようとする課題】
ところで、上述した自動販売機では、収容域の内壁面に断熱シート３を配設するにあたり、収容域の内壁面を構成する壁部材に対して断熱シート３をネジ止めする方法を適用するようにしている。すなわち、断熱シート３の表面に押え板４を配置した後に、この押え板４の表面からネジ５を螺合することにより、断熱シート３を壁部材に保持させるようにしている。
【０００５】
このネジ止めによる断熱シート３の保持構造にあっては、壁部材に予め形成したネジ孔（図示せず）にネジ５を螺合させればよいため、断熱シート３を正確な位置に配設することが可能になる。
【０００６】
しかしながら、締結後においてもネジ５の頭部や押え板４が断熱シート３の表面から突出することになるため、この突出したネジ５の頭部や押え板４が、収容域において商品を収容する商品収納ラック６と干渉する虞れがある。例えば商品収納ラック６には、商品に応じて幅を調整するための可動側板（図示せず）を設けてあるのが一般的であるが、ネジ５の頭部や押え板４との干渉により、この可動側板の移動が妨げられる場合がある。特に、昨今にあっては、市場の要求により商品の収容効率を向上させるようにしているため、収容域の内壁面と商品収納ラック６との間に十分な間隙を確保することが困難であり、上述した問題が顕著となる。またネジ５を螺合する作業そのものに関しても、必ずしも好ましいものとはいえず、自動販売機の製造作業を煩雑化する要因となる虞れがある。
【０００７】
こうした問題を解決するためには、例えば接着テープ等の接着手段によって断熱シート３を収容域の内壁面に貼り付ける方法が考えられる。つまり、接着テープを適用した場合には、断熱シート３の表面から突出する部材が存在しなくなるため、商品収納ラック６との干渉を招来する虞れがない。また、断熱シート３を収容域の内壁面に押し付けるだけで断熱シート３を収容域の内壁面に保持させることができるため、自動販売機の製造作業を煩雑化する虞れもなくなる。
【０００８】
しかしながら、接着テープ等の接着手段を適用した場合には、内壁面の如何なる場所にも断熱シート３を貼り付けることが可能であるため、断熱シート３の保持位置にバラ付きが発生し、断熱性能に影響を及ぼす虞れがある。さらには、自動販売機のリサイクルを考慮した場合、収容域の内壁面から断熱シート３を剥がし取る作業が著しく煩雑化するという新たな問題を招来する虞れもある。
【０００９】
本発明は、上記実情に鑑みて、他部品との干渉による問題、並びに製造作業やリサイクル作業の煩雑化を招来することなく断熱性能を十分に、かつ確実に確保することのできる自動販売機を提供することを目的とする。
【００１０】
【課題を解決するための手段】
上記目的を達成するため、本発明の請求項１に係る自動販売機は、商品を収容する収容域の内壁面に断熱シートを配設するようにした自動販売機において、収容域の内壁面を構成する壁部材に切欠を設けることにより該壁部材にその延在方向に沿った舌片を構成するとともに、断熱シートに係止部を形成し、該係止部に前記舌片を係止させることによって前記断熱シートを前記収容域の内壁面に保持させたことを特徴とする。
【００１１】
また、本発明の請求項２に係る自動販売機は、上記請求項１において、前記係止部が、断熱シートに形成した挿通孔であり、この挿通孔に前記舌片を挿通させることにより、前記断熱シートを前記収容域の内壁面に保持させたことを特徴とする。
【００１２】
【発明の実施の形態】
以下に添付図面を参照して、本発明に係る自動販売機の好適な実施の形態を詳細に説明する。
【００１３】
図１〜図４は、本発明の実施の形態である自動販売機を示したものである。ここで例示する自動販売機は、缶入り飲料やペットボトル入り飲料等の商品を販売するもので、本体キャビネット１０を備えている。本体キャビネット１０は、鋼板製の外箱１１と鋼板製の内箱１２との間に硬質プラスチックフォームから成るスラブ材等の断熱材１３を配置することによって構成したもので、前面に開口した収容庫１４を備えている。より具体的には、図４に示すように、水平基台１５の上部に外方天井壁部材１１ａ、一対の外方側壁部材１１ｂ、外方底壁部材１１ｃ、外方後壁部材１１ｄを有した外箱１１と、内方天井壁部材１２ａ、一対の内方側壁部材１２ｂ、内方底壁部材１２ｃ、内方後壁部材１２ｄとを有した内箱１２とを具備し、内箱１２を外箱１１の内部に配置した後、これら内箱１２と外箱１１との間の互いに対向する壁部材の相互間にそれぞれ断熱材１３を配置することによって本体キャビネット１０が構成してある。さらに、外方天井壁部材１１ａと上部断熱材１３ａと内方天井壁部材１２ａとによって構成される天井壁、外方側壁部材１１ｂと側部断熱材１３ｂと内方側壁部材１２ｂとによって構成される一対の側壁、外方底壁部材１１ｃと底部断熱材１３ｃと内方底壁部材１２ｃとによって構成される底壁、外方後壁部材１１ｄと後部断熱材１３ｄと内方後壁部材１２ｄとによって構成される後壁、によって囲まれる部位に断熱機能を有した収容庫１４が画成してある。
【００１４】
上述した収容庫１４には、その内部に２つの中仕切壁１６が設けてあるとともに、その前面開口に内扉１７が設けてある。中仕切壁１６は、収容庫１４の内部を３つの独立した室に仕切るためのもので、それぞれ中空パネルの内部に硬質プラスチックフォーム等の断熱材１３を充填することによって構成してある。より具体的には、矩形の周枠１６ａおよびその両面に配設した鋼板製の表面壁部材１６ｂによって中空パネルを構成した後、その内部に硬質プラスチックフォームの原液を充填して発泡成形してある。内扉１７は、収容庫１４の前面開口を開閉する態様で配設し、該収容庫１４の前面開口を閉塞した場合に当該収容庫１４の内部に商品の収容域を画成するものである。この内扉１７は、上述した中仕切壁１６と同様に、矩形の周枠１７ａおよびその両面に配設した鋼板製の表面壁部材１７ｂによって中空パネルを構成した後、その内部に硬質プラスチックフォームの原液を充填して発泡成形してある。なお、図中の符号１８は、内扉１７において収容庫１４の各室に対向した下端部にそれぞれ形成した商品通過口である。
【００１５】
収容庫１４の各室には、それぞれシュータ２０よりも上方となる商品収納部分１４ａにコラム状の商品収納ラック３０が配設してある一方、シュータ２０よりも下方となる熱交換部分１４ｂに冷凍機の蒸発器４０やヒータ４１等の熱交換手段、並びに送風ファン４２が配設してある。商品収納ラック３０は、上下方向に沿って商品を収納する一方、利用者の購入操作に応じた商品販売指令が与えられた場合に最下位に収納した商品をシュータ２０に払い出すもので、例えばサーペンタイン式と称される蛇行状に構成したものである。蒸発器４０およびヒータ４１は、商品収納ラック３０に収納した商品を所望の冷却温度、あるいは加熱温度に維持するためのものである。冷凍機の凝縮器４３、圧縮機４４および膨張弁４５、並びに庫外送風ファン４６は、収容庫１４の下方において水平基台１５との間に構成した機械室５０に収納してある。送風ファン４２は、シュータ２０の通気孔（図示せず）および背面ダクト２１を通じて商品収納部分１４ａと熱交換部分１４ｂとの間に空気を流通させるためのものである。
【００１６】
また、本体キャビネット１０には、その一側縁部に外扉６０を保持させてある。外扉６０は、本体キャビネット１０の前面開口を開閉するためのもので、自動販売機の正面となる部分である。この外扉６０の前面には、図には明示していないが、販売商品の見本を表示するディスプレイウィンドウ、販売商品を選択するための選択ボタン、貨幣を投入するための貨幣投入口、払い出された商品を取り出すための商品取出口６１等々、商品の販売に必要となる構成が設けてある。
【００１７】
一方、上記自動販売機には、商品収容域の内壁面、つまり、収容庫１４の内壁面（天井壁および底壁は除く）および中仕切壁１６の内壁面、さらには内扉１７の内壁面にそれぞれ断熱シート７０を配設してある。断熱シート７０は、ポリエステルフィルム等の断熱性を有した材質から成るシート状を成すもので、それぞれの内壁面の下方過半部分を覆う態様で個々の内壁面に保持させてある。具体的には、図５（ａ）に示すように、断熱シート７０の上端隅部に挿通孔７１を設ける一方、収容域の内壁面を構成する壁部材１２ｂ，１２ｄ，１６ｂ，１７ｂにそれぞれ舌片８０を設け、図５（ｂ）に示すように、それぞれの挿通孔７１に舌片８０を挿通させることによって断熱シート７０を収容域の内表面に保持させるようにしている。
【００１８】
挿通孔７１は、断熱シート７０を切り欠くことによって形成した円形の貫通孔である。舌片８０は、それぞれ収容域の内壁面を構成する壁部材１２ｂ，１２ｄ，１６ｂ，１７ｂに切欠８１を設けることによって構成したもので、挿通孔７１の直径よりも小さい幅の矩形状を成し、上方に向けて延在している。図５（ａ）に示すように、舌片８０の上方および両側方には、それぞれ切欠８１によって壁部材１２ｂ，１２ｄ，１６ｂ，１７ｂとの間に十分な間隙が確保してある。また、図６および図７の断面図に示すように、舌片８０は、収容域の内壁面と同一平面上に位置しており、該内壁面の表裏両面のいずれにも突出した構成にない。
【００１９】
収容域の内壁面を構成する壁部材１２ｂ，１２ｄ，１６ｂ，１７ｂと断熱材１３との間には、切欠８１に対応する部位に断熱シート７０を収容する空間９０が確保してある。この空間９０は、収容庫１４を画成する一対の側壁および後壁の場合、図６に示すように、予め断熱材１３に凹部９１を設けることによって画成してある。これに対して中空パネルの内部に硬質プラスチックフォームの原液を充填して発泡成形する中仕切壁１６および内扉１７に関しては、図７に示すように、壁部材１６ｂ，１７ｂの裏面に予め凹部１０１を有した蓋部材１００を配置することによって上述した空間９０を確保するようにしている。この蓋部材１００は、硬質プラスチックフォームの原液を充填する際に壁部材１６ｂ，１７ｂに設けた切欠８１を塞ぎ、該原液が外部に漏出する事態を防止する機能を有するもので、例えば発泡成形したポリスチレン樹脂（いわゆる発泡スチロール）によって構成してある。
【００２０】
なお、上述した蓋部材としては、必ずしも硬質材で構成する必要はなく、接着テープや接着フィルム等のように軟質材によって構成することも可能である。この場合、上述した空間９０を画成するためには、接着テープや接着フィルムに肩部材を押し当てた状態で硬質プラスチックフォームの原液を充填すれば良い。
【００２１】
上記のように構成した自動販売機では、例えば、冷凍機を駆動した状態で送風ファン４２を駆動すると、蒸発器４０により冷却された空気が、シュータ２０の通気孔を通じて商品収納部分１４ａに供給されるとともに、この商品収納部分１４ａの空気が背面ダクト２１を通じて熱交換部分１４ｂに導出されることになり、商品収納部分１４ａの商品収納ラック３０に収納した商品を冷却することが可能になる。これとは逆にヒータ４１を駆動した状態で送風ファン４２を駆動すると、ヒータ４１により加熱された空気が、シュータ２０の通気孔を通じて商品収納部分１４ａに供給されるとともに、この商品収納部分１４ａの空気が背面ダクト２１を通じて熱交換部分１４ｂに導出されることになり、商品収納部分１４ａの商品収納ラック３０に収納した商品を加熱することが可能になる。
【００２２】
この間、購入者の購入操作に応じて商品販売指令が与えられると、対応する商品収納ラック３０において最下位に収納された商品がシュータ２０に払い出される。シュータ２０に払い出された商品は、その傾斜に従って外扉６０の商品取出口６１に案内され、該商品取出口６１を通じて購入者の手に渡ることになる。
【００２３】
ここで、上述した自動販売機によれば、蒸発器４０により冷却された空気、もしくはヒータ４１によって加熱された空気が収容域において断熱シート７０の表面に沿って流れるようになり、鋼板によって構成した収容域の内壁面、つまり収容庫１４の内壁面および中仕切壁１６の内壁面、さらには内扉１７の内壁面に直接接触して流れることがない。従って、収容域を取り囲む断熱材１３を薄く構成した場合であっても、当該収容域の熱損失を低減することができるようになる。この結果、商品の収納数を減少することなく設置スペースの縮小化を図ることが可能になるとともに、自動販売機の省エネルギ化を図ることができるという作用効果を奏する。しかも、自動販売機の構造に大幅な変更を加えることもないため、製造コストが増大する事態を招来する虞れもない。
【００２４】
さらに、上述した自動販売機によれば、断熱シート７０の上端隅部に挿通孔７１を設ける一方、収容域の内壁面を構成する壁部材１２ｂ，１２ｄ，１６ｂ，１７ｂにそれぞれ舌片８０を設け、それぞれの挿通孔７１に舌片８０を挿通させることによって断熱シート７０を収容域の内表面に保持させるようにしているため、すなわち、断熱シート７０の挿通孔７１に舌片８０を挿通させさえすれば、当該断熱シート７０をきわめて容易に、かつ正確な位置に配設することが可能になる。また逆に、挿通孔７１から舌片８０を抜去させれば、断熱シート７０を容易に取り外すことが可能である。これらの結果、自動販売機の製造作業やリサイクル作業の煩雑化を招来することなく断熱性能を十分に、かつ確実に確保することができるようになる。
【００２５】
しかも、上述した舌片８０は、収容域の内壁面と同一平面上に位置しており、該内壁面の表裏両面のいずれにも突出した構成にない。従って、収容域の内壁面に断熱シート７０を保持させた状態においても、当該断熱シート７０の表面から突出する部材が存在せず、商品収納ラック３０との干渉を招来する虞れがない。この結果、例えば商品収納ラック３０が可動側板を備えるものであっても、その移動が妨げられる虞れもない。
【００２６】
なお、上述した実施の形態では、収容庫１４の内壁面（天井壁および底壁は除く）、中仕切壁１６の内壁面および内扉１７の内壁面のすべてに断熱シート７０を配設するようにしているが、必ずしもこれらのすべてに断熱シート７０を配設する必要はない。逆に、天井壁および底壁に断熱シートを配設するようにしても構わない。
【００２７】
また、上述した実施の形態では、収容域の内壁面と同一平面上に位置するように舌片８０を設けるようにしているが、本発明はこれに限定されない。例えば、舌片８０の表面を収容域の内壁面よりも奥方に位置させるようにしてもよいし、逆に断熱シート７０の厚さ以下であれば収容域の内壁面から突出するように舌片８０を設けるようにしても同様の作用効果を奏することが可能である。
【００２８】
さらに、上述した実施の形態では、断熱シート７０に形成する係止部として、円形の挿通孔７１を例示しているが、壁部材１２ｂ，１２ｄ，１６ｂ，１７ｂに構成した舌片８０を係止させることのできるものであれば、必ずしも挿通孔７１である必要はない。
【００２９】
例えば、図８（ａ）に示す第１変形例では、係止部として断熱シート７０にスリット７２を設け、このスリット７２に舌片８０を挿通させるようにしている。また、図８（ｂ）に示す第２変形例では、係止部として断熱シート７０の裏面に袋状部分７３を設け、この袋状部分７３に対して下方から舌片８０を挿入するようにしている。この場合、袋状部分７３は、壁部材１２ｂ，１２ｄ，１６ｂ，１７ｂに設けた切欠８１に収まる大きさに形成することが好ましい。また、袋状部分７３としては、必ずしも断熱シート７０と別体のものを設ける必要はなく、図８（ｃ）に示す第３変形例のように、断熱シート７０の板厚内に袋状部分７３′を一体に形成するようにしても良い。さらに、図８（ｄ）に示す第４変形例では、係止部として断熱シート７０の裏面に帯状部分７４を設け、この帯状部分７４に対して下方から舌片８０を挿通させるようにしている。この場合、帯状部分７４は、壁部材１２ｂ，１２ｄ，１６ｂ，１７ｂに設けた切欠８１に収まる大きさに形成することが好ましい。また、帯状部分７４としても、必ずしも断熱シート７０と別体のものを設ける必要はなく、図８（ｅ）に示す第５変形例のように、断熱シート７０に２本のスリット７５を形成することによってこれらの間に帯状部分７４′を一体に形成するようにしても良い。
【００３０】
【発明の効果】
以上説明したように、本発明に係る自動販売機によれば、収容域の内壁面を構成する壁部材に舌片を構成するとともに、断熱シートに係止部を形成し、該係止部に舌片を係止させることによって断熱シートを収容域の内壁面に保持させるようにしているため、当該断熱シートをきわめて容易に、かつ正確な位置に配設することが可能になる。また逆に、係止部と舌片との係止状態を解除すれば、断熱シートを容易に取り外すことが可能である。これらの結果、自動販売機の製造作業やリサイクル作業の煩雑化を招来することなく断熱性能を十分に、かつ確実に確保することができるようになる。しかも、舌片は、収容域の内壁面を構成する壁部材に切欠を設けることにより該壁部材の延在方向に沿って構成したものである。従って、収容域の内壁面に断熱シートを保持させた状態においても、当該断熱シートの表面から突出する部材が存在せず、商品収納ラック等、他の部品との干渉による問題を招来する虞れがない。
【図面の簡単な説明】
【図１】本発明の実施の形態である自動販売機を概念的に示した正面図である。
【図２】図１に示した自動販売機の断面側面図である。
【図３】図１に示した自動販売機を示した斜視図である。
【図４】図１に示した自動販売機の本体キャビネットを示す分解斜視図である。
【図５】図１に示した自動販売機の要部を拡大して示したもので、（ａ）は収容域の内壁面に断熱シートを取り付ける直前の状態を示す斜視図、（ｂ）は収容域の内壁面に断熱シートを取り付けた状態を示す斜視図である。
【図６】図１に示した自動販売機の要部を拡大して示したもので、（ａ）は収容域の内壁面に断熱シートを取り付ける直前の状態を示す断面図、（ｂ）は収容域の内壁面に断熱シートを取り付けた状態を示す断面図である。
【図７】図１に示した自動販売機の要部を拡大して示した断面図である。
【図８】（ａ）〜（ｅ）はそれぞれ断熱シートに形成する係止部の第１〜第５変形例を示した斜視図である。
【図９】従来の自動販売機を概念的に示した正面図である。
【符号の説明】
１０　　　本体キャビネット
１１　　　外箱
１１ａ　　　外方天井壁部材
１１ｂ　　　外方側壁部材
１１ｃ　　　外方底壁部材
１１ｄ　　　外方後壁部材
１２　　　内箱
１２ａ　　　内方天井壁部材
１２ｂ　　　内方側壁部材
１２ｃ　　　内方底壁部材
１２ｄ　　　内方後壁部材
１３　　　断熱材
１３ａ　　　上部断熱材
１３ｂ　　　側部断熱材
１３ｃ　　　底部断熱材
１３ｄ　　　後部断熱材
１４　　　収容庫
１４ａ　　　商品収納部分
１４ｂ　　　熱交換部分
１５　　　水平基台
１６　　　中仕切壁
１６ａ　　　周枠
１６ｂ　　　表面壁部材
１７　　　内扉
１７ａ　　　周枠
１７ｂ　　　表面壁部材
２０　　　シュータ
２１　　　背面ダクト
３０　　　商品収納ラック
４０　　　蒸発器
４１　　　ヒータ
４２　　　送風ファン
４３　　　凝縮器
４４　　　圧縮機
４５　　　膨張弁
４６　　　庫外送風ファン
５０　　　機械室
６０　　　外扉
６１　　　商品取出口
７０　　　断熱シート
７１　　　挿通孔
７２　　　スリット
７３，７３′　　　袋状部分
７４，７４′　　　帯状部分
７５　　　スリット
８０　　　舌片
８１　　　切欠
９０　　　空間
９１　　　凹部
１００　　　蓋部材
１０１　　　凹部
【図１】
2004013539.tif 000003
【図２】
2004013539.tif 000004
【図３】
2004013539.tif 000005
【図４】
2004013539.tif 000006
【図５】
2004013539.tif 000007
【図６】
2004013539.tif 000008
【図７】
2004013539.tif 000009
【図８】
2004013539.tif 000010
【図９】
2004013539.tif 000011